(57)【要約】【課題】非接触温度計にパイプ導管装置または光ファイバー導管装置を取り付けることで、温度測定対象物の表面と中心温度の測定を可能にする。【解決手段】先端に黒鉛板１を、後端の差込管部４に防塵の目的でガラススクリーンを取り付けた、パイプ導管装置（図４）または光ファイバー導管装置（図７）を非接触温度計の赤外線受光口１３に取り付け、温度測定対象物の表面温度と中心温度を測定する。【選択図】図４
2005227247.tif 000002
【特許請求の範囲】
【請求項１】
パイプ導管装置（図４）の先端に黒鉛板（１）を設置し、パイプ導管装置（図４）内の防塵目的で、差込管部（４）後端にガラススクリーン（１４）を設置し、パイプ導管装置（図４）の差込管部（４）を非接触温度計（図１）の赤外線受光口（１３）に勘合した温度測定対象物の表面と中心温度を測定するための非接触温度計に設置するパイプ導管装置。
【請求項２】
光ファイバー導管装置（図７）の先端に黒鉛板（１）を設置し、差込管部（４）の内側に拡張レンズ（１６）を、また、光ファイバー導管装置（図７）の差込管部（４）の内部の防塵目的で、後端にガラススクリーン（１４）を設置し、差込管部（４）を非接触温度計（図１）の赤外線受光口（１３）に勘合した温度測定対象物の表面と中心温度を測定するための、非接触温度計に設置する光ファイバー導管装置。
【請求項３】
差込管部（４）の内径が非接触温度計（図１）に設置されている集光レンズ（７）の有効直径と等しい、パイプ導管または光ファイバー導管の差込管部装置。
【発明の詳細な説明】
【技術分野】
【０００１】  本発明は、温度測定対象物の表面温度を測定する被接触温度計に、側面光の進入及び周囲温度による影響を防止する目的で断熱パイプを取り付けた、パイプ導管装置または光ファイバー導管装置の差込管部を非接触温度計の赤外線受光口に設置し、温度測定対象物の中心部に先端を挿入することにより芯温が測定でき、また、非接触状態では表面温度を測定することを目的とした装置に関するものである。
【背景技術】
【０００２】  物体は、その温度に比例した強さの赤外線を表面より放射しており、非接触温度計はこの赤外線の強さを測定し、温度に換算する装置であるが、中心部の赤外線は表面からは測定することは出来ないという欠点がある。
【発明の開示】
【発明が解決しようとする課題】
【０００３】  解決しようとする問題点は、非接触温度計においては、温度測定対象物の表面から放射される赤外線は測定できるが、中心部に発生している赤外線は測定できない点である。
【課題を解決するための手段】
【０００４】  本発明は、非接触温度計に、温度測定対象物の中心部に発生している赤外線を測定する目的で、パイプ導管装置または光ファイバー導管装置の先端に赤外線放射光の吸収及び放射装置として黒鉛板を設置し、後端の差込管部にはガラススクリーンを取り付けて防塵し、これを非接触温度計の赤外線受光口に取り付け、温度測定対象物に挿入し中心部の温度を測定し、または、非接触状態では表面温度を測定することを特徴とする。
【発明の効果】
【０００５】  本発明のパイプ導管装置または光ファイバー導管装置は、温度測定対象物の表面温度のみを測定する目的で製作された表面温度計と一体化することにより、表面温度計と中心温度計の二通りの装置として非接触温度計を使用できるという利点がある。
【発明を実施するための最良の形態】
【０００６】  温度測定対象物の表面温度と中心温度を測定するという目的を、最小の部品点数で、パイプ導管装置または光ファイバー導管装置を製作し、表面温度計と一体化する方法で実現した。
【実施例１】
【０００７】  図４は本発明の１実施例で、パイプ導管装置の側面断面図であり、１は黒鉛板、２はパイプ導管、３は断熱パイプ、４は差込管部、１４はガラススクリーン、５は赤外線通路である。【０００８】  図７は本発明の２実施例で、光ファイバー導管装置の側面断面図であり、１は黒鉛板、１５は光ファイバー導管、３は断熱パイプ、４は差込管部、１４はガラススクリーンである。【０００９】  黒鉛板１はパイプ導管装置（図４）または光ファイバー導管装置（図７）の先端に蓋をする状態で設置されており、純粋炭素の純度に精錬された黒鉛を、セラミックスと均一に混練し、円形板状に整形後に昇温加熱し黒鉛板としたものであり、赤外線の吸収と放射に優れた効果があるが、入ってくる赤外線を１００％吸収し、１００％放射する理想的な表面を持つ黒体をベースにしている。【００１０】  また、通過する赤外線が塵埃により温度変化することを防止するために、ガラススクリーン１４をパイプ導管装置（図４）と光ファイバー導管装置（図７）の後端の差込管部１４の後端に蓋をする状態で設置する。【００１１】  パイプ導管装置（図４）内部の赤外線通路５を赤外線が通過する時点で、赤外線が周囲温度の影響を受けることを防止する目的で、パイプ導管２の外部に密着した状態で断熱パイプ３が設置されている。【００１２】  光ファイバー導管装置（図７）内部を赤外線が通過する時点で、周囲の光や温度による影響を受けることを防止する目的で、光ファイバー導管１５の外部には密着した状態で断熱パイプ３が設置されている。【００１３】  差込管部４の内径は非接触温度計（図１）に設置されているレンズの有効直径と同径であること、また、レンズの中心がパイプ導管装置（図４）と光ファイバー導管装置（図７）の内円の中心と一直線になっていることが必要である。【００１４】    光ファイバー導管装置（図７）の差込管部４の内側には、入射光を拡大する拡張レンズ１６が設置され、非接触温度計（図１）の集光レンズ７にマッチングさせているが、非接触温度計に設置されている集光レンズ７を拡張レンズ１６と同径にし、集光したエネルギーを内部回路で、温度に変換するディテクターと、これに続く増幅器及び内部回路をマッチングさせることによりモニターに出力することは可能であり、この場合は拡張レンズは不必要となる。
【産業上の利用可能性】
【００１５】  非接触温度計の特徴は、接触型の温度計と比較し測定時間が非常に短く軽量なものが多いことから、外食産業や食品生産工場で営業中の抜き打ち検査や、食品製造ラインにおける自動の中心温度測定機として、また、ペン型小型器による製品化の可能性がある。
【図面の簡単な説明】
【００１６】
【図１】非接触温度計の側面を示した説明図である。
【図２】非接触温度計の正面を示した説明図である。
【図３】非接触温度計の背面を示した説明図である。
【図４】パイプ導管装置の側面断面を示した説明図である。
【図５】パイプ導管装置と非接触温度計が並んだ側面の説明図である。
【図６】パイプ導管装置と非接触温度計が勘合し一体と成った側面の説明図である。
【図７】光ファイバー導管装置の側面断面を示した説明図である。
【図８】光ファイバー導管装置と非接触温度計が並んだ側面の説明図である。
【図９】光ファイバー導管装置と非接触温度計が勘合し一体と成った側面の説明図である。
【符号の説明】
【００１７】  １  黒鉛板
２  パイプ導管
３  断熱パイプ
４  差込管部
５  赤外線通路
６  レーザーポインター
７  集光レンズ
８  非接触温度計のハウジング
９  モニター
１０  握りハンドル
１１  スイッチ
１２  レーザー光線放射口
１３  赤外線受光口
１４  ガラススクリーン
１５  光ファイバー導管
１６  拡張レンズ
【図１】
2005227247.tif 000003
【図２】
2005227247.tif 000004
【図３】
2005227247.tif 000005
【図４】
2005227247.tif 000006
【図５】
2005227247.tif 000007
【図６】
2005227247.tif 000008
【図７】
2005227247.tif 000009
【図８】
2005227247.tif 000010
【図９】
2005227247.tif 000011